(57)【要約】【課題】ハイボリューム・エアサンプラー装着用ＰＭ２.５分級器において、衝突板上に捕集された粗大粒子の再飛散を低減し、衝突捕集シート用の粘性液体の衝突板周囲からの液垂れを防止することを目的とする。【解決手段】側板と、側板の下部から外側にＬ字状に外側に張り出す袴部と、側板の上部を閉じる天板と、天板に支持された衝突板とからなり、前記袴部は、ハイボリューム・エアサンプラー本体に固定するための固定用係合部を有し、前記側板は、透明な材料からなり、前記天板には、中心に衝突板固定部材が固定され、複数のノズル穴が、同心状に、かつ、衝突板の外周位置よりも中心寄りに設けられており、ノズル穴が設けられたノズル面部分は下側に凹ませて一段下げてあり、前記衝突板は外周に立ち上げ部を有する円板形状で、前記立ち上げ部は、前記天板の下側に凹んだノズル面部分の外側寄りに位置する。【選択図】図１
2020073929.tif 000002
【特許請求の範囲】
【請求項１】
４５０リットル毎分以上の捕集流量のハイボリューム・エアサンプラーの４００平方センチメートル以上の面積の四角形の大気微粒子捕集用フィルターの上部を覆うようにフィルター・ホルダーに後付けで装着するためのＰＭ２．５分級器であって、
側板と、前記側板の下部に設けられて前記フィルター・ホルダーに重ねて固定する固定手段を有する袴部と、前記側板の上部を閉じる天板と、前記天板の中央に固定された衝突板固定部材と、前記衝突板固定部材によりその中心を釣り下げ固定されて前記天板の中央下部に間隔をもって支持された円板形状の衝突板と、からなり、
前記天板には、複数のノズル穴が、前記衝突板の外周位置よりも前記中心寄りに前記中心について同心状の複数列の上に設けられて、前記ノズル穴から流入した４５０リットル毎分以上の大気の流れを前記衝突板の外周方向に曲げられるように、前記ノズル穴の設けられたノズル面部分は下側に凹ませた底部に位置させるように前記天板に直管状の壁部分を与えて一段下げてあり、前記衝突板は外周に沿って前記壁部分の外側寄りの位置で鉛直に立ち上げた壁を形成してあることを特徴とするハイボリューム・エアサンプラー装着用ＰＭ２．５分級器。
【請求項２】
前記衝突板の上面には、粘性液体を含浸されたシートまたはゲルシートからなる衝突捕集材を配置されることを特徴とする請求項１記載のハイボリューム・エアサンプラー装着用ＰＭ２．５分級器。
【請求項３】
前記袴部は前記側板の下部からＬ字状に張り出しており、当該Ｌ字状に張り出した袴部には、前記フィルター・ホルダーに重ねた状態で、前記フィルター・ホルダーの固定用部材と係合するための前記固定手段を有していることを特徴とする請求項１または２に記載のハイボリューム・エアサンプラー装着用ＰＭ２．５分級器。
【請求項４】
前記側板は透明な材料からなることを特徴とする請求項１〜３のいずれか１つに記載のハイボリューム・エアサンプラー装着用ＰＭ２．５分級器。
【発明の詳細な説明】
【技術分野】
【０００１】
本発明は、大気環境・産業環境・労働環境の測定観測のため、大気中の微粒子を採取するのに一般的に使用されている通常型のハイボリューム・エアサンプラーを利用し、ハイボリューム・エアサンプラーの大気微粒子捕集用フィルター上に当該フィルターを覆うように装着するだけでＰＭ２.５粒子を捕集できるようにしたハイボリューム・エアサンプラー装着用ＰＭ２.５分級器に関するものである。
【背景技術】
【０００２】
従来、公害対策として大気中に浮遊する粒子状物質の発生源の追跡や、人体に有害な微量成分量を測定するために、大気中に浮遊する粒子状物質を大量に集めて化学組成を測定する必要があり、この目的のため、捕集流量が４５０リットル毎分以上あり、広い面積（約４００平方センチメートル）を持つ大気微粒子捕集フィルターを装着したハイボリューム・エアサンプラーが使用されてきた。
米国では、１９９７年に環境基準が改定されてＰＭ２.５の環境基準値が追加され、フィルター捕集による２４時間測定を標準測定法（ＦＲＭ：U.S.Federal Reference Method）としている。この測定法は、ブロワーで大気を吸引した空気の流れを曲げ、粒径の大きい粒子は慣性で曲がりきれずに流れから外れ、粒径の小さい粒子は流れに乗って曲がりそのまま進むという原理を使い、粒径によって粒子を分級して捕集フィルターで捕集するものである。粒径には、空気力学径が用いられ、ＰＭ２.５の場合には、空気力学径が２.５マイクロメートルとなる粒子のことであり、ローボリューム・エアサンプラー（捕集流量１６.６リットル毎分、捕集面積１２.５平方センチメートル）により捕集フィルターへの２４時間捕集が実施される。ここで、ＰＭ２.５では、測定原理上２.５マイクロメートル以下の粒子だけが分級されるわけではなく、粒径別の透過率が５０％となる粒径（空気力学径）が２.５マイクロメートルとなる粒子のことをさす。
なお、粒径別の透過率が５０％となる粒径（空気力学径）が２.５マイクロメートルとなる粒子のことを、以下、「ＰＭ２.５」と記載することとし、ＰＭ２.５分級器は、ＰＭ２.５（５０％分離空気力学径２．５マイクロメートル）を分級するものである。
一方、我が国では、２００９年９月に、ＰＭ２.５に関する環境基準（微小粒子状物質による大気の汚染に係る環境基準について）が環境省から告示され、その後、自治体等によるＰＭ２.５の測定が開始され、測定結果が発表されるようになった。
【０００３】
ＰＭ２.５の常時監視は、上記ＦＲＭと呼ばれる米国の環境基準に則った粒子捕集装置（ローボリューム・エアサンプラー、捕集流量１６.６リットル毎分）による捕集フィルターへの２４時間の吸引捕集、または、それと等価な値を与える自動測定装置により実施されるが、後者の自動測定装置はＰＭ２.５大気微粒子の質量濃度のみが測定され、また前者のローボリューム・エアサンプラーは捕集流量が少なく、捕集面積も小さい（１２.５平方センチメートル）ことから、捕集されたＰＭ２.５（５０％分離空気力学径２.５マイクロメートル）を構成する化学物質のうち、化学分析に供して金属成分などの微量な組成を調べるには捕集量が少なすぎて困難が伴う。
また、上記の通常型のハイボリューム・エアサンプラーは分級器を備えていないが、粗大な粒子を捕集前に除去するための専用のスリット型のインパクター（慣性衝突分級装置）付ハイボリューム・エアサンプラーが市販されており、同じく市販されているアンダーセン・ハイボリューム・エアサンプラー（柴田科学株式会社製ＡＨ−６００Ｆ）と呼ばれる５段分級のカスケード（多段）インパクターを装着したハイボリューム・エアサンプラーの第３ステージ（５０％分離空気力学径２.０マイクロメートル）を単独で装着して微小粒子を集めることが行われてきた。なお、カスケードインパクターについては特許文献１参照。しかし、これらの専用機を新たに購入するにはコストがかかり、専用機用の特殊な形状のフィルターまたはシートを衝突捕集材として衝突板に装着するため、その製作・手配に手間がかかる。また、アンダーセン・ハイボリューム・エアサンプラーの衝突板兼ノズル板と本体取付け部は大きく重く、強風が吹くような屋外において装着や取り外し操作に困難を伴う。さらに、これら専用機は、捕集フィルター上にどの程度の量の粒子が捕集されたのかを目視で確認することができず、現場での判断により捕集時間を延長するといった柔軟な運用を行うことができなかった。
【０００４】
そこで、本発明者等は、従来広く用いられている通常型のハイボリューム・エアサンプラー（以下、単に「ハイボリューム・エアサンプラー」という）の大気微粒子捕集用フィルターに、そのまま覆い被せて装着できる汎用型のＰＭ２.５分級器を開発し既に出願しており、ＰＭ２.５（５０％分離空気力学径２.５マイクロメートル）微粒子の大量捕集を、低コストで、使い勝手良く実現させたものを先に出願した（特許文献２参照）。
図６に、本発明者等が先に出願した特許文献２記載のＰＭ２.５分級器の平面図、Ａ−Ａ’断面図を示す。図６に示したＰＭ２.５分級器は、ハイボリューム・エアサンプラーの大気微粒子捕集用フィルターの上部を覆うようにフィルター・ホルダーに後付けで装着するためのＰＭ２.５分級器であって、側板と、側板の下部から外側にＬ字状に外側に張り出す袴部と、側板の上部を閉じる天板と、天板の中央下部に間隔をもって支持された衝突板とからなり、前記袴部は、フィルター・ホルダーに重ねた状態でフィルター・ホルダーの固定用部材を用いてハイボリューム・エアサンプラー本体に固定するための固定用係合部を有し、袴部下面にはフィルター・ホルダーに重ねて固定したときの気密を確保するシール部材が配されており、前記側板は、透明な材料からなり、前記天板には、中心に衝突板固定部材が固定され、複数のノズル穴が、衝突板固定部材を中心として同心状に、かつ、衝突板の外周位置よりも中心寄りに設けられており、前記衝突板は円板形状で、その中心位置で前記衝突板固定部材により天板から釣り下げ状態に固定されており、衝突板の上面には衝突捕集材が置かれていることを特徴とする。
このように構成された特許文献２のＰＭ２.５分級器は、図７に示すように、ハイボリューム・エアサンプラーの大気微粒子捕集用フィルターを覆うようにかぶせ、フィルター・ホルダーの固定部とＰＭ２.５分級器の袴部の固定用係合部とが重なるようにしてフィルター・ホルダー固定用部材（手回しネジ等）で同時に装着できるので、ハイボリューム・エアサンプラーの本体に何ら加工を施す必要がない。そして、ＰＭ２.５分級器を装着した状態のハイボリューム・エアサンプラーを作動させると、４５０リットル毎分以上で吸引された大気は天板のノズル穴から流入し衝突板に衝突して衝突板の外周方向に流れを曲げられ、このとき慣性により分級されてＰＭ２.５（５０％分離空気力学径２.５マイクロメートル）微粒子がハイボリューム・エアサンプラーの大気微粒子捕集用フィルターに大量捕集され、粗大粒子は衝突板で捕集される。
【先行技術文献】
【特許文献】
【０００５】
【特許文献１】特開２００８−７０２２２号公報
【特許文献２】実用新案登録第３１５８８３９号公報
【発明の概要】
【発明が解決しようとする課題】
【０００６】
本発明者等が先に出願した特許文献２記載のＰＭ２.５分級器は、ハイボリューム・エアサンプラーの大気微粒子捕集用フィルターに、覆い被せて装着した状態で使用するが、衝突板が平らな円板状であるため、衝突板に一旦捕集された粗大粒子の再飛散が生じるという問題があり、また、再飛散防止のために衝突板上に敷く衝突捕集材シートに添加する粘性液体が平らな衝突板の周囲から下に垂れてハイボリューム・エアサンプラーの大気微粒子捕集用フィルターを汚染するという問題が生じていた。さらに、衝突捕集材シートにその都度粘性液体を含浸させる作業が繁雑であるという問題があった。
【課題を解決するための手段】
【０００７】
そこで、上記問題点を解決するために、本発明のハイボリューム・エアサンプラー装着用ＰＭ２.５分級器では、衝突板の形状を、円板状の外周を上に立ち上げるとともに、天板と衝突板の間隔の調整に前記立ち上げ部が妨げとならないように、天板のノズル面部分を下側に凹ませて一段下げ、衝突板の立ち上げ部が、下側に凹んだノズル面部分より外側の位置で立ち上がるように配置したものである。
すなわち、本発明は、ハイボリューム・エアサンプラーの大気微粒子捕集用フィルターの上部を覆うようにフィルター・ホルダーに後付けで装着するためのＰＭ２.５分級器であって、側板と、側板の下部に設けた袴部と、側板の上部を閉じる天板と、天板の中央下部に間隔をもって支持された衝突板とからなり、前記袴部は、フィルター・ホルダーに重ねた状態でハイボリューム・エアサンプラー本体に固定するための固定手段を有し、袴部下面にはフィルター・ホルダーに重ねて固定したときの気密を確保するシール部材が配されており、前記天板には、中心に衝突板固定部材が固定され、複数のノズル穴が、衝突板の外周位置よりも中心寄りに設けられており、ノズル穴が設けられたノズル面部分は下側に凹ませて一段下げてあり、前記衝突板は外周に立ち上げ部を有する円板形状で、その中心位置で前記衝突板固定部材により天板から釣り下げ状態に固定されるとともに、前記立ち上げ部は、前記天板の下側に凹んだノズル面部分の外側寄りの位置で立ち上げてあり、前記衝突板の上面には衝突捕集材が置かれていることを特徴とする。
また、本発明は、上記ハイボリューム・エアサンプラー装着用ＰＭ２.５分級器において、前記衝突捕集材は、粘性液体を含浸されたシートまたはゲルシートであることを特徴とする。
また、本発明は、上記ハイボリューム・エアサンプラー装着用ＰＭ２.５分級器において、前記袴部は前記側板の下部からＬ字状に張り出しており、当該Ｌ字状に張り出した袴部には、前記フィルター・ホルダーに重ねた状態で、前記フィルター・ホルダーの固定用部材と係合するための前記固定手段を有していることを特徴とする。
また、本発明は、上記ハイボリューム・エアサンプラー装着用ＰＭ２.５分級器において、前記側板は透明な材料からなることを特徴とする。
また、本発明は、上記ハイボリューム・エアサンプラー装着用ＰＭ２.５分級器において、前記天板に設けられた前記複数のノズル穴は、前記衝突板固定部材を中心として同心状に設けられていることを特徴とする。
また、本発明は、上記ハイボリューム・エアサンプラー装着用ＰＭ２.５分級器を装着したハイボリューム・エアサンプラーである。
また、本発明は、パーケージに液密に包装された衝突捕集材用粘性液体含浸シートまたはゲルシートであって、当該粘性液体含浸シートまたはゲルシートは中心部に穴を有する円形状シートであり、そのシートの外径は、円板形状の外周に立ち上げ部を有する衝突板の上面に取り付け取り外しがしやすいように、前記立ち上げ部内径より間隙の分だけ小径であることを特徴とする。
【発明の効果】
【０００８】
本発明のＰＭ２.５分級器を用いれば、一旦衝突板に捕集された粗大粒子が再飛散した場合にも衝突板の外周に形成した立ち上げ部により後段のフィルターへの流入を低減することができる。
また、本発明のＰＭ２.５分級器を用いれば、衝突板の外周の立ち上げ部により、衝突板上に敷く衝突捕集材シートに添加する粘性液体が衝突板の周囲から下に垂れることを防止でき、粘性液体が衝突板周囲から下に垂れてハイボリューム・エアサンプラーの大気微粒子捕集用フィルターを汚染することが無く、大気微粒子捕集用フィルターで大量捕集したＰＭ２.５（５０％分離空気力学径２.５マイクロメートル）微粒子を化学分析する際に粘性液体による汚染の影響を考慮する必要が無い。
また、衝突捕集材の外径を、衝突板の立ち上げ部内径より小径にして間隙を生じるようにしておけば、衝突板上面への衝突捕集材の取り付け取り外しが容易であり、さらに、前記立ち上げ部は衝突捕集材を取り付ける際の案内の機能も奏するので取り付け操作が容易になる。粘性液体を含浸されたシートまたはゲルシートで衝突捕集材を構成すれば、粘性液体をその都度シートに含浸させる必要が無く、さらにパーケージに液密に包装された衝突捕集材用粘性液体含浸シートまたはゲルシートの形態で用意しておけばより一層簡便となり、含浸むらがなく含浸量も適正に保たれる。
さらに、本発明のＰＭ２.５分級器は、先の特許文献２のＰＭ２.５分級器と同様に、専用機を新たに購入することなく、ハイボリューム・エアサンプラーに後付けすることで、ＰＭ２.５微粒子の大量捕集が可能となるので、導入コストが低く、ハイボリューム・エアサンプラーの大気微粒子捕集用フィルターの固定具をそのまま利用でき、新たに固定用の部品を要さず、簡単に装着することができる。また同様に、側板を透明にしておけば透明な側板をとおしてハイボリューム・エアサンプラーの大気微粒子捕集用フィルターを目視できるので、フィルターの色により捕集量の状況が把握でき、大気の汚染の状況によっては捕集時間を延長して粒子捕集量を増やすといった柔軟な運用が現場の判断で可能であり、さらに、衝突板は中心を衝突板固定ねじで支持する構造を採用したので、ノズルを通過した空気が衝突板上で外周方向に流れを曲げられた後フィルターに到達するまで経路上で、衝突板を中心で支持する固定ねじ等の支持構造物にＰＭ２.５粒子が衝突して損失を生じることがなく、衝突板の取り外しが簡単で、衝突板上に置かれた衝突捕集材の交換も容易に行うことができ、さらに、衝突板上に置かれる衝突捕集材は、中心部に穴を一つあけただけの単なる円形のシートであるため、ユーザー側での作成が容易であることはいうまでもない。
【図面の簡単な説明】
【０００９】
【図１】図１は、本発明のＰＭ２.５分級器の一実施例を説明した図である。
【図２】図２は、図１の実施例についての特性図である。
【図３】図３は、本発明のＰＭ２.５分級器の製作例の全体を撮影した写真である。
【図４】図４は、図３の本発明のＰＭ２.５分級器の製作例において衝突板を取り外して衝突板の立ち上げ部の構造が良くわかるようにして撮影した写真である。
【図５】図５は、図４の衝突板の上に衝突捕集材を置いた状態を撮影した写真である。
【図６】図６は、本出願人が先に出願した従来の特許文献２のＰＭ２.５分級器の図であり、上からＰＭ２.５分級器の平面図、Ａ−Ａ’断面図である。
【図７】図７は、本出願人が先に出願した従来の特許文献２のＰＭ２.５分級器をハイボリューム・エアサンプラーに装着する前と、装着後を説明した図である。
【発明を実施するための形態】
【００１０】
本発明は、本発明者等が先に出願した特許文献２のＰＭ２.５分級器を改良したものであって、衝突板の周囲を立ち上げることによって、一旦衝突板に捕集された粗大粒子が再飛散した場合にも衝突板の外周に形成した立ち上げ部で後段のフィルターへの流入を低減するとともに、衝突板上に敷く衝突捕集材シートに添加する粘性液体が衝突板の周囲から下に垂れることを衝突板の外周に形成した立ち上げ部で防止するものである。
【実施例】
【００１１】
本発明のＰＭ２.５分級器の一実施例を図１に示す。
図１は、左上図がＰＭ２.５分級器を上から見た上面図であり、右上図が下から見た下面図、左下図が横から見た側面図であり、右下図が上記上面図のＡ−Ａ断面における断面図である。
天板の中心には衝突板固定用ネジ（手回し）が設けられており、これを中心として、同心状に６列設けられた多数のノズル穴が、衝突板の外周位置よりも中央寄りに配されている。天板のノズル面部分は下側に凹ませて一段下げてあり、円板の周囲に立ち上げ部が設けられて成る衝突板は、中心で衝突板固定用ネジにより天板に釣り下げ状態で着脱自在に天板に固定されており、衝突板の外周の立ち上げ部は、天板を凹ませて一段下げたノズル面部分の外側で立ち上げてあり、立ち上げ部が天板に当接しない構造となっている。天板の材質はアルミ製等であるが、天板のノズル穴を高速の気流が通るので、長期使用による穴径の変化を防止できるものであればアルミ製に限定されるものではない。衝突板は、中心で衝突板固定用ネジにより天板に釣り下げ状態で着脱自在に天板に固定され、衝突板の上面には、衝突捕集した粗大粒子の再飛散防止または秤量・化学分析用の衝突捕集材が置かれ、当該衝突捕集材は中心部に穴を開けた円形状シートを用い、シートの製作・交換が容易な構成となっている。衝突捕集材としては例えば石英繊維フィルターにグリセリン等の粘性液体を含浸させたものを用いる。衝突捕集材の外径は立ち上げ部内径より小径にして間隙を作り、当該間隙により衝突板の上に取り付け取り外しの操作を容易にし、さらに、立ち上げ部が取り付けの際の位置決め案内ともなり取り付け操作を容易にする。また、衝突捕集材を、パーケージに液密に包装された衝突捕集材用粘性液体含浸シートまたはゲルシートの形態で用意しておけばより一層簡便である。
天板を取り付けた透明な側板の下部からは外側にＬ字状に張り出す袴部が形成されており、袴部の形状はハイボリューム・エアサンプラーの大気微粒子捕集用フィルター及びフィルター・ホルダーの形状に合わせてあり、当該袴部には、大気微粒子捕集用フィルター・ホルダーの上に重ねた状態でハイボリューム・エアサンプラーのフィルター・ホルダー固定用の四隅の固定用手回しネジを利用して固定できるように切り欠き状の固定用係合部が四隅に設けられている。なお、ハイボリューム・エアサンプラーへの装着は、図７の従来例と同様にして装着できる。なお、この例ではフィルター・ホルダーの形状が矩形であるため袴部形状も矩形に形成したが、要はフィルター・ホルダーの形状に合わせた袴部形状としてフィルター・ホルダーに重ねた状態で装着できるようにすればよい。また、袴部の取り付けにハイボリューム・エアサンプラーのフィルター・ホルダー固定用の固定用手回しネジを利用して固定できるようにしたが、必ずしもフィルター・ホルダー固定用の固定用手回しネジを兼用する必要は無く、重ねて装着できる固定手段であればよい。
【００１２】
（製作例）
図３は、本発明のＰＭ２.５分級器の製作例の全体を撮影した写真であり、図４は、図３の作製例において衝突板を取り外して衝突板の立ち上げ部の構造が良くわかるようにして撮影した写真であり、図５は図４の衝突板の上に衝突捕集材を置いた状態で撮影した写真である。側板が透明であるために、側板を通して内部が透視できるのでＰＭ２.５分級器をハイボリューム・エアサンプラーへの装着した状態で、大気微粒子捕集用フィルターを透視することができ、大気微粒子捕集用フィルターの色で捕集量の状況が把握できる。ＰＭ２.５分級器の側板の下部から外側にＬ字状に張り出す袴部の外寸は２３０×３１０ｍｍであり、ハイボリューム・エアサンプラーのフィルター・ホルダー固定用の四隅の固定用手回しネジを利用して固定できるように切り欠き状の固定用係合部が四隅に設けられている。また、側板は厚み３ｍｍの透明なポリカーボネート材の四角筒状で、その外寸は１７９×２３１ｍｍであり、高さが略１００ｍｍである。側板の上部を閉じる天板はアルミ製で、天板のノズル面部分は下側に略４０ｍｍ程凹ませて一段下げてあり、天板の中心には衝突板固定部材（ねじ）が設けられており、これを中心として、同心状に６列設けられた１４０個のノズル穴が設けてある。衝突板は、衝突板固定部材により天板のノズル面部分の下側に吊り下げ状態に固定され、衝突板の外周には立ち上げ部が設けられており、衝突板の立ち上げ部の内径は略１４４ｍｍ、立ち上げ部の衝突板上面からの立ち上げ長さは略１０ｍｍであり、当該立ち上げ部は、天板の下側に凹んだノズル面部分よりも外側位置で立ち上がっており、立ち上げ部内径は、天板の下側に凹んだノズル面部分の外径よりも大きく設定されている。
図２に、本実施例のＰＭ２.５分級器を、ハイボリューム・エアサンプラーに載置して吸引流量５２０リットル毎分で用いた際に、ハイボリューム・エアサンプラーの大気微粒子捕集用フィルターで捕集される粒径分級特性を示す。具体的には、本実施例のＰＭ２.５分級器を透過した浮遊粒子の空気力学径と、未透過の浮遊粒子の空気力学径とを測定することにより、各粒子径（空気力学径）ごとの捕集率を計算したグラフである。図２において、横軸がＡｅｒｏｄｙｎａｍｉｃ  ｄｉａｍｅｔｅｒ（μｍ）：空気力学径、縦軸がＣｏｌｌｅｃｔｉｏｎ  ｅｆｆｉｃｉｅｎｃｙ：粒子捕集率であり、グラフから、ほぼ、捕集率０．５が空気力学径２.５マイクロメータであったことが示されており、本実施例のＰＭ２.５分級器を通常型ハイボリューム・エアサンプラーに装着して用いれば、ＰＭ２.５微粒子が大気微粒子捕集用フィルターに大量捕集されることが確認できる。
また、本実施例のＰＭ２.５分級器の衝突板には外周に立ち上げ部を形成してあるため、一旦衝突板で衝突捕集した粗大粒子の再飛散や衝突捕集材に含浸させたグリセリン等の大気微粒子捕集用フィルターへの垂れ落ちが発生しないことが確認できた。
【産業上の利用可能性】
【００１３】
本発明のＰＭ２.５分級器を用いれば、衝突板の周囲の立ち上げ部により、一旦衝突板に捕集された粗大粒子の再飛散による後段のフィルターへの流入を低減することができ、また、衝突板上に敷く衝突捕集材シートに添加する粘性液体が衝突板の周囲から下に垂れることを立ち上げ部により防止でき、垂れた粘性液体により大気微粒子捕集用フィルターが汚染されることがない。また、立ち上げ部は衝突捕集材の取り付けの際の位置決め案内ともなり、取り付け操作を容易にし、さらに、衝突捕集材を、パーケージに液密に包装された衝突捕集材用粘性液体含浸シートまたはゲルシートの形態で用意しておけばより一層簡便である。さらに、本発明のＰＭ２.５分級器は、広く普及している通常型のハイボリューム・エアサンプラーに装着するだけで、ＰＭ２.５（５０％分離空気力学径２.５マイクロメートル）微粒子を大量捕集することが簡単に可能となり、大量に捕集すればＰＭ２.５（５０％分離空気力学径２.５マイクロメートル）微粒子の化学物質の組成も衝突捕集材シートに添加する粘性液体の垂れ落ちによる汚染を考慮することなく容易に調べることができるので、例えば、都市大気汚染あるいは長距離輸送によるＰＭ２.５（５０％分離空気力学径２.５マイクロメートル）微粒子の影響評価、産業環境、労働環境での健康影響評価などに利用可能である。
【図１】
2020073929.tif 000003
【図２】
2020073929.tif 000004
【図３】
2020073929.tif 000005
【図４】
2020073929.tif 000006
【図５】
2020073929.tif 000007
【図６】
2020073929.tif 000008
【図７】
2020073929.tif 000009